(57)【要約】【課題】新規設備に限らず、既設の紡績設備を利用し、適時、容易に通常糸をスラブヤーン製造に切り替えて必要量を生産し、生産完了後は容易に通常糸を生産できる手段。【解決手段】カーディング工程において、フィニッシャカード２６に配置された末尾ないし末尾から３番目までのいずれかのウォーカ２とこれに対峙するストリッパ３とを目付ウォーカ部とし、前記目付ウォーカ部においてはウォーカをストリッパの前に配列して前記ウォーカ及びストリッパをともにシリンダー１の回転方向とは逆方向に回転させ、かつ、ストリッパを間欠的に回転させることにより間欠的にウォーカ周上の繊維をシリンダー周上のウエブに重ねてウェブに所要の間隔で目付量の増大部分を形成せしめ、得られたウェブを精紡して目付量増大部分をスラブとするヤーンを製造できる。【選択図】図１
2005281874.tif 000002
【特許請求の範囲】
【請求項１】
カーディング工程において、フィニッシャカードに配置された末尾ないし末尾から３番目までのいずれかのウォーカとこれに対峙するストリッパとを目付ウォーカ部とし、前記目付ウォーカ部においてはウォーカをストリッパの前に配列して前記ウォーカ及びストリッパをともにシリンダーの回転方向とは逆方向に回転させ、かつ、ストリッパを間欠的に回転させることにより間欠的にウォーカ周上の繊維をシリンダー周上のウエブに重ねてウェブに所要の間隔で目付量の増大部分を形成せしめ、得られたウェブを精紡して目付量増大部分をスラブとするヤーンを製造することを特徴とするスラブヤーンの製造方法。
【請求項２】
目付ウォーカ部を、カーディング工程におけるフィニッシャカードの末尾から２番目のウォーカ部に設けることを特徴とする請求項１に記載のスラブヤーンの製造方法。
【請求項３】
前記のカーディング工程が毛紡績のカーディング工程であることを特徴とする請求項１又は２に記載のスラブヤーンの製造方法。
【請求項４】
ストリッパを不規則に間欠的回転させること特徴とする請求項１、２又は３に記載のスラブヤーンの製造方法。
【請求項５】
ストリッパを間欠的に回転させることにより間欠的にウォーカ周上の繊維をシリンダー周上のウエブに重ねてウェブに所要の間隔で目付量の増大部分を形成せしめるための毛紡績カードであって、フィニッシャカードのシリンダー（１）周上に配設された末尾ないし末尾から３番目までのいずれかのウォーカ（２）が、これに対峙するストリッパ（３）の前に配列されて、前記のウォーカ及びストリッパは、それぞれがシリンダーとは逆方向に自転可能、回転速度調整可能に取り付けられ、かつ、ストリッパは間欠的自転が可能に構成されていることを特徴とする毛紡績カード。
【発明の詳細な説明】
【技術分野】
【０００１】
本発明はスラブヤーンの製造方法に関する。毛紡績スラブヤーン、とくに紡毛スラブヤーンの製造に好適である。
【背景技術】
【０００２】
太さが不均一でところどころに太くなった部分をもつ紡績糸のスラブヤーンは、意匠糸として、お洒落な婦人衣料用布地などに好んで用いられている。従来、スラブヤーンを製造するには、紡績糸にあま撚りの部分と強撚部分とを交互に配したり、２本の芯糸の間に紡績粗糸を間欠的に挿入して撚りをかけたり、オープンエンド紡績装置のフィードローラを２分割して一方のフィードローラから供給する繊維束の量を適宜に調節したり、スライバのドラフトローラに切欠部を設けドラフトされるスライバの繊維量を増加させ、スライバにスラブ部を形成させて製造する方法などが知られている。図４はスラブヤーンの一部を拡大して示した図である。
【０００３】
【特許文献１】特開平０５−００５２２９号公報
【特許文献２】特開平１１−１１７１３１号公報
【発明の開示】
【発明が解決しようとする課題】
【０００４】
スラブヤーンは、特殊糸の１種であって、需要量は、増大しつつあるものの現状では一般の紡績糸に較べて少なく、常時、専用ラインを必要とする程度の量に達していない。従って従来は、適宜に既設の設備を部分的に改造して製造されることが多かった。しかし、従来からの製造手段は、既設設備を利用するにしても設備改造に可成りの費用を要するものが多く、スラブヤーンのコスト高の原因になっていた。本発明は、前記の問題を解決するために、新規設備に限らず既設の紡績設備を利用する場合においても、適時、容易に通常糸をスラブヤーンの製造に切り替えて所要の形態のスラブヤーンを必要量生産し、生産完了後は元に戻して通常糸を生産できる手段を課題として、研究と試行錯誤を繰り返した結果、完成することができたものである。
【課題を解決するための手段】
【０００５】
上記課題を解決するために完成された本発明スラブヤーンの製造方法は、紡績糸の製造において、カーディング工程のフィニッシャカードに配置された末尾ないし末尾から３番目までのいずれかのウォーカとこれに対峙するストリッパとを目付ウォーカ部とし、前記目付ウォーカ部においてはウォーカをストリッパの前に配列して前記ウォーカ及びストリッパをともにシリンダーの回転方向とは逆方向に回転させ、かつ、ストリッパを間欠的に回転させることにより間欠的にウォーカ周上の繊維をシリンダー周上のウエブに重ねてウェブに所要の間隔で目付量の増大部分を形成せしめ、得られたウェブを精紡して目付量の増大部分をスラブとするヤーンを製造することを特長とする。
【発明の効果】
【０００６】
本発明を利用することによって、新規設備のみならず、既設の紡績設備を利用し簡単な設備の配列変更等を行って、容易にスラブヤーンの製造に切り替え、所要の長さ、太さ、間隔をもったスラブヤーンを生産したのち、元に戻して通常の紡績糸の生産を再開することができる。
【発明を実施するための最良の形態】
【０００７】
本発明を説明するのに先立って、本発明の理解を容易にするため、本発明を好ましく利用することのできる紡毛紡績のカーディング工程について、図面を参照し簡単に説明しておく。図２は紡毛紡績の３山から構成されたカード工程の側面図である。前記のカード工程は、通常、原毛の給毛部２１、原毛の解繊、除塵、混合をして均一な薄膜状のウェブを作るための２〜４山のカードが直列に連結された紡毛カード（ローラカード）部２２、及びウェブを細幅の“しの”に分割するためのコンデンサ部２３から構成されている。
【０００８】
一般に、前記連結された最初のカードをブレーカカード又はスクリプラカード２４、中間に配列されたカードをインタメディエイトカード又はインターカード２５、最終カードをフィニッシャーカード２６、４山の場合には３山目をフィニッシャーファーストカード、４山目をフィニッシャーセカンドカードと呼んでいる。これらのカードは、針先をローラの回転方向又は回転逆方向のいずれかに傾けられ、あるいは直立させた針布を巻かれた多数のローラによって構成されている。針は「く」の字状に中間部で折り曲げられたもの、直線状のもの等が用いられている。また、前記各カードの間には中間給毛部２７を設けて、前の山から取り出されるウェブのむらを矯正し次の山に給毛している。
【０００９】
通常、給毛部の自動原料給毛装置２８から送入された原毛は、一定量ごとにフィードラチス２９上に落下し、さらにフィードローラ３０によりブレストカード３１に送られて予備開繊される。予備開繊された繊維は、次のブレーカカード２４のシリンダー３２上に移行し、繊維は１本１本開繊されながら混合される。以下、各カード２４，２５及び２６の各シリンダー３２の周上には、数本のウォーカー（worker）３３が配置され、それぞれシリンダー３２の針先から一部の繊維を櫛けずってウォーカ３３に移行させ、カーディング作用をする。さらに、ウォーカー３３に移行した繊維を奪い取って（ストリッピング作用）シリンダー３２に戻すためのローラとして、小径のストリッパ３４が配置されている。シリンダー３２周上の繊維（ウェブ）は、一旦ドッファー３５に移されて取り出される。
【００１０】
前記の作用を容易に遂行するためにウォーカは、回転方向をシリンダーとは逆方向に、針先は回転方向に逆方向に傾くように取り付けられ、表面速度をシリンダーの表面速度よりも可成り減速して操業している。また、ストリッパーは、回転方向をウォーカと同じ方向に、すなわちシリンダーの回転方向とは逆方向に、針先を回転方向に傾くようにして取り付けられ、表面速度をウォーカの表面速度よりも早くして操業されている。
【００１１】
さて、本発明の第１の特長は、ヤーンにスラブを付与するため、紡績糸を製造する際のカーディング工程において、別途工程外から繊維を供給することなくウェブにスラブ部分になる単位長さ当たりの目付の大きな部分を容易に形成できることにある。第２の特長は、きわめて簡単にスラブヤーン製造のための装置を準備できること、またそのために要する費用が小さいことである。
【００１２】
図１を参照して本発明を具体的に説明する。本発明では、フィニッシャカード（本発明においては、１山の場合を含めて工程の最終の山のことをフィニッシャーカードという）の、それもシリンダー１の周上、後半に配設された末尾ないし末尾から３番目までのウォーカ部分（ウォーカ及びこれと対峙するストリッパの組合せ）のいずれかを目付ウォーカ部分５として、ウォーカ２とストリッパ３の配列順を通常のカードのシリンダー周上における位置とは逆に、すなわちウォーカ２を前にストリッパ３を後に配列して、ウェブに目付の大きい部分を形成する。これらのなかでも目付ウォーカ部分５として末尾から２番目が好ましい。前記位置のウォーカ部分５を選ぶのは、これよりも前のカードやウォーカで目付の大きい部分を形成しても、その後のウォーカ部分でカーディングされ均一化されてしまうからである。ウォーカ２とストリッパ３の配列順を逆にするのは、目付を大きくした部分が元のウォーカに掻き取られ、安定して目付の大きい部分を形成できなくなるからである。ウォーカ２及びストリッパ３はともにシリンダ１とは逆方向に、それぞれが自転し回転速度調節を可能にして取り付ける。６は針布であって、通常、シリンダー１の針先は回転方向に、ウォーカ２の針先は回転方向と逆方向に、ストリッパの針先は回転方向に傾けられている。
【００１３】
前記の目付ウォーカ部分５において、ウォーカ２の回転速度は、目的のスラブの形成条件によって適宜に選定するが一般的にはシリンダー１からウォーカ２の繊維移行量が最大になる回転速度を選ぶとよい。スラブの太さや長さ、スラブ間隔を調整し易くするからである。一方、ストリッパ３は間欠的に回転させる。ストリッパ３が停止している間もウォーカ２は回転しているので、周上の繊維はストリッパ３に掻き取られ、ウォーカ２、ストリッパ３及びシリンダー１の表面で囲まれる部分４に貯留される。この状態でストリッパを回転させると貯留された繊維はシリンダー周上に移行し、シリンダ上のウェブに合体してその部分に目付の大きなウェブ部分が形成される。前記ウェブ部分７を図３に斜視図で示す。
【００１４】
ストリッパの回転速度は、遅くするとスラブヤーンのスラブ部分が長くなり、早くすればスラブは太くなる。また、ストリッパの間欠的な動・停止間隔によりスラブを形成する間隔、スラブの長さ及び太さを調整できる。一般に、ストリッパは、実質的に周期的ではなく不規則に間欠的回転させること、すなわち回転動作の動・停止間隔を一定にしないで周期をずらし、或いはランダムにすることが望ましい。そのウェブを用いて精紡し、さらに製織、製編された布帛は変化に富んで魅力的である。しかし、動・停止間隔を周期的に一定にして製造されたヤーンはスラブ間隔が規則的であって、製織、製編された布帛は単調になりやすいからである。前記した操業上の制御は、いずれもリミットスイッチ、マイコンなどを利用して容易に実施することができる。
【産業上の利用可能性】
【００１５】
本発明に係るスラブヤーンの製造方法及び毛紡績カードは、毛紡績スラブヤーン、とくに紡毛紡績スラブヤーンの製造に利用することによってバルキーで魅力的なスラブヤーンを製造することができる。また、に大規模な設備改良を必要としないので、中小企業においても容易にこれを採用し、所望のスラブヤーンを生産することができる。
【図面の簡単な説明】
【００１６】
【図１】本発明に係る毛紡績カードの主要部を示す側面図
【図２】毛紡績カードの側面図
【図３】本発明に係るウェブの斜視図
【図４】スラブヤーンの概念図
【符号の説明】
【００１７】
１：  シリンダー                    ２：  ウォーカ
３：  ストリッパ                    ４：  目付繊維が貯留される位置
５：  目付ウォーカ部分              ６：  針布
７：  目付の大きな部分
２１：  原毛の給毛部                ２２：  紡毛カード部
２３：  コンデンサ部                ２４：  ブレーカカード
２５：  インタメディエイトカード    ２６：  フィにシャーカード
２７：  中間給毛部                  ２８：  自動原料給毛装置
２９：  フィードラチス              ３０：  フィードローラ
３１：  ブレストカード              ３２：  シリンダー
３３：  ウォーカ                    ３４：  ストリッパ
３５：  ドッファー
【図１】
2005281874.tif 000003
【図２】
2005281874.tif 000004
【図３】
2005281874.tif 000005
【図４】
2005281874.tif 000006